(57)【要約】  本開示の課題は、ユーザが親機における子機の登録状況を把握し易いことにある。無線通信システム（１００）は、親機（１）と、子機（２）と、を備える。子機側制御部（２１）は、子機（２）の識別子と、親機（１）への登録を要求する要求データと、を含む要求信号を親機（１）へ送信する要求機能を有する。親機側制御部（１１）は、要求信号を受信すると、子機（２）に紐付けられた暗号鍵を含む返信信号を子機（２）へ送信する返信機能を有する。子機側制御部（２１）は、子機（２）の有するデータを返信信号に含まれる暗号鍵にて暗号化した暗号化データを含む確認信号を親機（１）へ送信する確認機能を有する。親機側制御部（１１）は、確認信号を受信すると、暗号化データの復号を試み、復号できない場合は、未登録情報を出力する出力機能を有する。
2018190223.tif 000002
【特許請求の範囲】
【請求項１】
親機と、
前記親機と無線で通信可能な子機と、を備え、
前記親機は、親機側制御部を有し、
前記子機は、子機側制御部を有し、
前記子機側制御部は、前記子機の識別子と、前記親機への登録を要求する要求データと、を含む要求信号を前記親機へ送信する要求機能を有し、
前記親機側制御部は、前記要求信号を受信すると、前記子機に紐付けられた暗号鍵を含む返信信号を前記子機へ送信する返信機能を有し、
前記子機側制御部は、前記子機の有するデータを前記返信信号に含まれる前記暗号鍵にて暗号化した暗号化データと、前記子機の識別子と、を含む確認信号を前記親機へ送信する確認機能を有し、
前記親機側制御部は、前記確認信号を受信すると、前記確認信号に含まれる前記暗号化データの復号を試み、復号できない場合は、前記子機の登録が完了していない旨を表す未登録情報を出力する出力機能を有する
無線通信システム。
【請求項２】
前記親機側制御部は、前記出力機能において、前記子機とは異なる他の機器に向けて前記未登録情報を通知するように構成されている
請求項１記載の無線通信システム。
【請求項３】
前記親機側制御部は、同一の前記子機の識別子を含む前記要求信号を少なくとも２回以上受信すると、前記返信信号の送信強度を強くするように構成されている
請求項１又は２に記載の無線通信システム。
【請求項４】
前記子機側制御部は、前記子機が前記返信信号に含まれる前記暗号鍵とは異なる別の暗号鍵を有している場合、前記別の暗号鍵を前記返信信号に含まれる前記暗号鍵に更新するように構成されている
請求項１乃至３のいずれか１項に記載の無線通信システム。
【請求項５】
前記子機は、前記子機の設置場所に関連する部位の運動により電力を発生し、前記子機側制御部に電力を供給する発電部を更に有する
請求項１乃至４のいずれか１項に記載の無線通信システム。
【請求項６】
親機側制御部を備えた親機であって、
前記親機側制御部は、
無線で通信可能な子機から、前記子機の識別子と、前記親機への登録を要求する要求データと、を含む要求信号を受信すると、前記子機に紐付けられた暗号鍵を含む返信信号を前記子機へ送信する返信機能と、
前記子機から、前記子機の有するデータを前記返信信号に含まれる前記暗号鍵にて暗号化した暗号化データと、前記子機の識別子と、を含む確認信号を受信すると、前記確認信号に含まれる前記暗号化データの復号を試み、復号できない場合は、前記子機の登録が完了していない旨を表す未登録情報を出力する出力機能と、を有する
親機。
【請求項７】
親機の制御方法であって、
無線で通信可能な子機から、前記子機の識別子と、前記親機への登録を要求する要求データと、を含む要求信号を受信すると、前記子機に紐付けられた暗号鍵を含む返信信号を前記子機へ送信する返信ステップと、
前記子機から、前記子機の有するデータを前記返信信号に含まれる前記暗号鍵にて暗号化した暗号化データと、前記子機の識別子と、を含む確認信号を受信すると、前記確認信号に含まれる前記暗号化データの復号を試み、復号できない場合は、前記子機の登録が完了していない旨を表す未登録情報を出力する出力ステップと、を有する
親機の制御方法。
【請求項８】
コンピュータシステムである親機に、
前記親機と無線で通信可能な子機の識別子と、前記親機への登録を要求する要求データと、を含む要求信号を受信すると、前記子機に紐付けられた暗号鍵を含む返信信号を前記子機へ送信する返信処理と、
前記子機の有するデータを前記返信信号に含まれる前記暗号鍵にて暗号化した暗号化データと、前記子機の識別子と、を含む確認信号を受信すると、前記確認信号に含まれる前記暗号化データの復号を試み、復号できない場合は、前記子機の登録が完了していない旨を表す未登録情報を出力する出力処理と、
を実行させるためのプログラム。
【発明の詳細な説明】
【技術分野】
【０００１】
本開示は、一般に無線通信システム、親機、親機の制御方法、及びプログラムに関し、より詳細には、親機に子機が登録される無線通信システム、親機、親機の制御方法、及びプログラムに関する。
【背景技術】
【０００２】
特許文献１には、建物の出入口の施錠・開錠状態を監視する戸締り確認システムが開示されている。特許文献１に記載の戸締り確認システムは、建物の占有空間内に設置されて携帯端末との間で通信が可能な親機と、窓に設けられて施錠・開錠状態を検出する施開錠センサとを備える。施開錠センサは、窓の施錠・開錠状態が変化したときに、親機に対して所定の無線信号を送信することによる通知を行う。【０００３】
特許文献１に記載の戸締り確認システム（無線通信システム）では、施開錠センサ（子機）が窓の施錠・開錠状態を親機に通知するために、親機に子機を登録する必要がある。このような無線通信システムでは、ユーザ（例えば、施工者）が親機における子機の登録状況を把握することが望まれている。
【先行技術文献】
【特許文献】
【０００４】
【特許文献１】特開２０１２−８８７８号公報
【発明の概要】
【０００５】
本開示は、上記の点に鑑みてなされており、ユーザが親機における子機の登録状況を把握し易い無線通信システム、親機、親機の制御方法、及びプログラムを提供することを目的とする。
【課題を解決するための手段】
【０００６】
本開示の一態様に係る無線通信システムは、親機と、前記親機と無線で通信可能な子機と、を備える。前記親機は、親機側制御部を有する。前記子機は、子機側制御部を有する。前記子機側制御部は、前記子機の識別子と、前記親機への登録を要求する要求データと、を含む要求信号を前記親機へ送信する要求機能を有する。前記親機側制御部は、前記要求信号を受信すると、前記子機に紐付けられた暗号鍵を含む返信信号を前記子機へ送信する返信機能を有する。前記子機側制御部は、前記子機の有するデータを前記返信信号に含まれる前記暗号鍵にて暗号化した暗号化データと、前記子機の識別子と、を含む確認信号を前記親機へ送信する確認機能を有する。前記親機側制御部は、前記確認信号を受信すると、前記確認信号に含まれる前記暗号化データの復号を試み、復号できない場合は、前記子機の登録が完了していない旨を表す未登録情報を出力する出力機能を有する。【０００７】
本開示の一態様に係る親機は、親機側制御部を備える。前記親機側制御部は、返信機能と、出力機能と、を有する。前記返信機能は、無線で通信可能な子機から、前記子機の識別子と、前記親機への登録を要求する要求データと、を含む要求信号を受信すると、前記子機に紐付けられた暗号鍵を含む返信信号を前記子機へ送信する機能である。前記出力機能は、前記子機から確認信号を受信すると、前記確認信号に含まれる前記暗号化データの復号を試み、復号できない場合は、前記子機の登録が完了していない旨を表す未登録情報を出力する機能である。前記確認信号は、前記子機の有するデータを前記返信信号に含まれる前記暗号鍵にて暗号化した暗号化データと、前記子機の識別子と、を含む。【０００８】
本開示の一態様に係る親機の制御方法は、返信ステップと、出力ステップと、を有する。前記返信ステップは、無線で通信可能な子機から、前記子機の識別子と、前記親機への登録を要求する要求データと、を含む要求信号を受信すると、前記子機に紐付けられた暗号鍵を含む返信信号を前記子機へ送信するステップである。前記出力ステップは、前記子機から確認信号を受信すると、前記確認信号に含まれる前記暗号化データの復号を試み、復号できない場合は、前記子機の登録が完了していない旨を表す未登録情報を出力するステップである。前記確認信号は、前記子機の有するデータを前記返信信号に含まれる前記暗号鍵にて暗号化した暗号化データと、前記子機の識別子と、を含む。【０００９】
本開示の一態様に係るプログラムは、コンピュータシステムである親機に、返信処理と、出力処理と、を実行させる。前記返信処理は、前記親機と無線で通信可能な子機の識別子と、前記親機への登録を要求する要求データと、を含む要求信号を受信すると、前記子機に紐付けられた暗号鍵を含む返信信号を前記子機へ送信する処理である。前記出力処理は、確認信号を受信すると、前記確認信号に含まれる前記暗号化データの復号を試み、復号できない場合は、前記子機の登録が完了していない旨を表す未登録情報を出力する処理である。前記確認信号は、前記子機の有するデータを前記返信信号に含まれる前記暗号鍵にて暗号化した暗号化データと、前記子機の識別子と、を含む。
【図面の簡単な説明】
【００１０】
【図１】図１は、本開示の一実施形態に係る無線通信システムのブロック図である。
【図２】図２は、同上の無線通信システムの概略図である。
【図３】図３は、同上の無線通信システムにおける登録作業時の動作のシーケンス図である。
【図４】図４は、同上の無線通信システムにおいて、再度の登録作業時の親機の動作のフローチャート図である。
【発明を実施するための形態】
【００１１】
（１）概要
以下、実施形態に係る無線通信システム１００の概要について図１及び図２を用いて説明する。本実施形態の無線通信システム１００は、例えば戸建住宅などの建物の状態を監視するシステムとして用いられ、親機１と、親機１と無線で通信可能な子機２と、を備えている。親機１は、親機側制御部１１を有している。子機２は、子機側制御部２１を有している。本実施形態では、子機２は、窓３の窓枠３１に設置されており、窓３の開閉を検知するように構成されている。親機１は、子機２から離れた位置に設置されており、子機２から検知データを含む検知信号を受信することにより、窓３の開閉の状態を監視する。したがって、本実施形態の無線通信システム１００を用いることで、窓３の閉め忘れ、又は窓３からの第三者の侵入の有無などを把握することが可能である。
【００１２】
なお、図２に示す例では、親機１は、子機２に比較的近い位置に設置されているが、子機２から更に離れた位置に設置されていてもよい。例えば、親機１が玄関に設置され、子機２が玄関から離れた部屋に設置されていてもよい。
【００１３】
ここで、子機２が無関係の親機と通信しないように、親機１と子機２とは、ペアリングされた状態で通信を行う。以下、ペアリングのことを「登録」という。親機１において子機２の登録が完了すると、親機１と、登録された子機２との間で通信が可能になる。つまり、親機１は、登録されている子機２からの信号を受信すると、受信した信号に応じた処理を実行する。一方、親機１は、登録されていない子機２からの信号を受信すると、受信した信号に応じた処理は実行せず、信号を破棄する。
【００１４】
本実施形態の無線通信システム１００では、子機側制御部２１の有する要求機能及び確認機能、並びに親機側制御部１１の有する返信機能及び出力機能を用いて、親機１に子機２を登録する。要求機能は、子機２が要求信号を親機１へ送信する機能である。要求信号は、子機２の識別子と、親機１への登録を要求する要求データと、を含む。この機能は、子機２が登録モード（後述する）で動作するときに発揮される。
【００１５】
返信機能は、親機１が、子機２に紐付けられた暗号鍵を含む返信信号を子機２へ送信する機能である。この機能は、親機１が要求信号を受信すると発揮される。確認機能は、子機２が確認信号を親機１へ送信する機能である。確認信号は、子機２の有するデータを返信信号に含まれる暗号鍵にて暗号化した暗号化データと、子機２の識別子と、を含む。この機能は、子機２が通常モード（後述する）で動作するときに発揮される。
【００１６】
出力機能は、親機１が、確認信号に含まれる暗号化データの復号を試み、復号できない場合は、子機２の登録が完了していない旨を表す未登録情報を出力する機能である。言い換えれば、親機１は、暗号化データを復号できる場合、子機２の登録を完了する。この機能は、親機１が確認信号を受信すると発揮される。
【００１７】
つまり、本実施形態の無線通信システム１００では、親機１にて子機２の登録が完了していない場合、親機１が未登録情報を出力するため、ユーザＡ１（Ｂ１）は、子機２の登録が失敗したことを把握することができる。言い換えれば、本実施形態の無線通信システム１００では、ユーザＡ１（Ｂ１）が親機１における子機２の登録状況を把握し易い、という利点がある。
【００１８】
（２）詳細
以下、本実施形態の無線通信システム１００について図１及び図２を用いて詳細に説明する。本実施形態の無線通信システム１００は、親機１と、１以上（ここでは、１台）の子機２と、を備えている。
【００１９】
親機１は、例えば玄関、及び部屋など、建物の内部に設置される。図２に示す例では、親機１は、部屋に設置されている。親機１は、例えば部屋に設置されているコンセントを介して商用電源などの外部電源に接続され、外部電源からの電力供給を受けて駆動するように構成されている。親機１は、親機側制御部１１と、親機側通信部１２と、を有している。
【００２０】
親機側制御部１１は、例えば、ＣＰＵ（Central Processing Unit）及びメモリを主構成とするコンピュータシステムにて構成されている。そして、ＣＰＵがメモリに格納されているプログラムを実行することにより、コンピュータシステムが親機側制御部１１として機能する。プログラムは、ここでは親機側制御部１１のメモリに予め記録されているが、インターネット等の電気通信回線を通じて、又はメモリカード等の非一時的な記録媒体に記録されて提供されてもよい。後述する子機２の子機側制御部２１も、親機側制御部１１と同様に、ＣＰＵ及びメモリを主構成とするコンピュータシステムにて構成されている。
【００２１】
親機側制御部１１のメモリには、登録されている子機２の登録情報が記憶される。登録情報は、例えば子機２の識別子、及び子機２との通信に用いる暗号鍵などである。また、親機側制御部１１のメモリには、登録されている子機２から受信した検知データが記憶される。
【００２２】
親機側制御部１１は、通常モードと、登録モードとの少なくとも２つのモードで動作するように構成されている。親機側制御部１１は、例えば親機１に設けられているスイッチをユーザＡ１（Ｂ１）が操作することにより、通常モードでの動作と、登録モードでの動作とを切り替えるように構成されている。また、親機側制御部１１は、例えばユーザＡ１（Ｂ１）が所有する携帯端末（例えば、スマートフォン）を操作することにより、通常モードでの動作と、登録モードでの動作とを切り替えるように構成されていてもよい。
【００２３】
通常モードでは、親機側制御部１１は、子機２からの検知信号を待ち受ける。そして、親機側制御部１１は、親機側通信部１２を介して子機２からの検知信号を受信すると、受信した検知信号に含まれる子機２の識別子に対応する暗号鍵を用いて、受信した検知信号に含まれる暗号化データを復号する。そして、親機側制御部１１は、復号により得られる検知データを子機２の識別子と紐付けてメモリに記憶する。このようにして、親機１は、子機２の状態、ひいては子機２が設置される建物の状態を監視する。
【００２４】
登録モードでは、親機側制御部１１は、返信機能を発揮することで、返信処理を実行する。つまり、親機側制御部１１は、子機２からの要求信号を待ち受ける。そして、親機側制御部１１は、親機側通信部１２を介して子機２からの要求信号を受信すると、要求信号に含まれる子機２の識別子をメモリに記憶する。また、親機側制御部１１は、子機２の識別子に紐付けられた暗号鍵を生成する（又はメモリから読み出す）。そして、親機側制御部１１は、この暗号鍵を含む返信信号を、親機側通信部１２を介して要求信号の送信元の子機２へ送信する。
【００２５】
また、登録モードでは、親機側制御部１１は、出力機能を発揮することで、出力処理を実行する。つまり、親機側制御部１１は、親機側通信部１２を介して返信信号を送信した後に、子機２からの確認信号を待ち受ける。本実施形態では、確認信号は、後述するように子機２が通常モードで動作するときに送信する検知信号である。つまり、子機２が通常モードで動作するときに送信する信号は、全て検知信号であり、確認信号である。
【００２６】
親機側制御部１１は、親機側通信部１２を介して確認信号を受信すると、まず、確認信号に含まれる制御データと、子機２の識別子と、誤り検出用の符号（例えば、ＣＲＣ（Cyclic Redundancy Check））とが全て正規のデータであるか否かを確認する。制御データは、例えばプリアンブル、ＳＦＤ（Start-of-Frame Delimiter）などを含む。これらのデータが全て正規のデータである場合、親機側制御部１１は、確認信号に含まれる子機２の識別子に対応する暗号鍵をメモリから読み出す。そして、親機側制御部１１は、読み出した暗号鍵を用いて、確認信号に含まれる暗号化データの復号を試みる。
【００２７】
一方、これらのデータの中に１つでも非正規のデータが含まれている場合、親機側制御部１１は、確認信号を破棄する。例えば、親機側制御部１１は、確認信号に含まれる子機２の識別子が、メモリに記憶されている子機２の識別子と一致しない場合、確認信号を破棄する。確認信号に非正規のデータが含まれる状況は、例えば親機１の周辺に他の親機に登録されている他の子機が存在しており、他の子機からの検知信号を親機側通信部１２が受信したときに起こり得る。
【００２８】
暗号化データの復号に成功した場合、親機側制御部１１は、確認信号の送信元の子機２の登録を完了する。そして、親機側制御部１１は、子機２の登録が完了した旨を表す登録情報を出力する。一方、暗号化データの復号に失敗した場合、親機側制御部１１は、確認信号の送信元の子機２の登録を完了しない。そして、親機側制御部１１は、子機２の登録が完了していない旨を表す未登録情報を出力する。
【００２９】
本実施形態では、親機側制御部１１は、親機側通信部１２を介してユーザＡ１（Ｂ１）の所有する携帯端末へメールを送信することにより、登録情報又は未登録情報を出力する。つまり、本実施形態では、親機側制御部１１は、出力機能において、子機２とは異なる他の機器（ここでは、ユーザＡ１（Ｂ１）の所有する携帯端末）に向けて未登録情報を出力するように構成されている。登録情報であれば、メールには、例えば「機器番号○○の子機２の登録が完了しました」などのメッセージが記される。また、未登録情報であれば、メールには、例えば「機器番号○○の子機２の登録に失敗しました。未だ登録は完了していません」、又は「機器番号○○の子機２の登録に失敗しました。再度、子機２を起動させて下さい」などのメッセージが記される。機器番号は、子機２に割り当てられた固有の番号である。機器番号は、子機２の識別子であってもよい。
【００３０】
親機側通信部１２は、子機２（又はユーザＡ１（Ｂ１）の所有する携帯端末）と通信するための通信インタフェースである。親機側通信部１２と子機２（又は携帯端末）との間の通信方式は、例えば、有線通信、又は、Ｗｉ−Ｆｉ（登録商標）、Ｂｌｕｅｔｏｏｔｈ（登録商標）、及び免許を必要としない小電力無線（特定小電力無線）等の無線通信である。この種の小電力無線については、用途等に応じて使用する周波数帯域や空中線電力などの仕様が各国で規定されている。日本国においては、９２０ＭＨｚ帯又は４２０ＭＨｚ帯の電波を使用する小電力無線が規定されている。
【００３１】
子機２は、例えば建物の出入口に設置される。ここで、「出入口」は、建物の内側の空間と、建物の外側の空間とを繋ぐ場所である。つまり、子機２は、例えば建物の窓、シャッター、及び扉などに設置される。本実施形態では、子機２は、部屋の窓３の窓枠３１に設置されている。もちろん、子機２は、建物の全ての出入口（窓、シャッター、及び扉）に設置されていてもよい。
【００３２】
子機２は、子機側制御部２１と、子機側通信部２２と、発電部２３と、判定部２４と、を有している。子機側制御部２１のメモリには、例えば子機２の識別子と、親機１との通信に用いる暗号鍵とが記憶されている。
【００３３】
子機側制御部２１は、通常モードと、登録モードとの少なくとも２つのモードで動作するように構成されている。本実施形態では、子機側制御部２１は、後述する判定部２４での判定結果に応じて、通常モードでの動作と、登録モードでの動作とを切り替えるように構成されている。
【００３４】
通常モードでは、子機側制御部２１は、検知処理を実行する。つまり、子機側制御部２１は、子機２の設置場所に関連する部位の状態を監視する。本実施形態では、子機２は、窓３の窓枠３１に設置されている。したがって、子機側制御部２１は、窓３が開いていれば窓３が開状態にあると検知し、窓３が閉じていれば窓３が閉状態にあると検知する。また、例えば子機２が建物の扉の錠に設置されている場合、子機側制御部２１は、施錠されていれば錠が施錠状態にあると検知し、開錠されていれば錠が開錠状態にあると検知する。子機側制御部２１は、子機２の設置場所に関連する部位の検知データ（つまり、子機２の有するデータ）を暗号鍵にて暗号化する。この暗号鍵は、子機２が初期状態で記憶している暗号鍵、又は親機１からの返信信号に含まれる暗号鍵である。そして、子機側制御部２１は、子機側通信部２２を介して検知信号を親機１へ送信する。ここで、子機側制御部２１は、子機側通信部２２を介して検知信号を複数回、親機１へ送信してもよい。
【００３５】
ここで、検知信号は、子機２の識別子と、検知データを暗号化した暗号化データと、を含む信号であり、確認信号でもある。つまり、本実施形態では、通常モードでの子機側制御部２１の検知処理は、子機側制御部２１が確認機能を発揮することで実行する確認処理に相当する。
【００３６】
登録モードでは、子機側制御部２１は、要求機能を発揮することで、要求処理を実行する。つまり、子機側制御部２１は、子機側通信部２２を介して要求信号を親機１へ送信する。要求信号は、子機２の識別子と、親機１への登録を要求する要求データと、を含む。また、子機側制御部２１は、子機側通信部２２を介して返信信号を受信すると、受信した返信信号に含まれる暗号鍵をメモリに記憶する。ここで、子機側制御部２１は、既に暗号鍵をメモリに記憶している場合、返信信号に含まれる暗号鍵をメモリに上書きする。つまり、子機側制御部２１は、子機２が返信信号に含まれる暗号鍵とは異なる別の暗号鍵を有している場合、別の暗号鍵を返信信号に含まれる暗号鍵に更新するように構成されている。
【００３７】
子機側通信部２２は、親機１と通信するための通信インタフェースである。子機側通信部２２は、既に述べたように、例えば、有線通信、又は、Ｗｉ−Ｆｉ（登録商標）、Ｂｌｕｅｔｏｏｔｈ（登録商標）、及び免許を必要としない小電力無線（特定小電力無線）等の無線通信により、親機１の親機側通信部１２との間で通信する。
【００３８】
発電部２３は、圧電素子にて振動エネルギーを電気エネルギーに変換することで発電する振動型の発電装置、又はコイルと永久磁石との相対運動によりコイルに誘導電圧を発生する電磁誘導型の発電装置であって、いわゆるエナジーハーベスタである。発電部２３は、例えば子機２が窓３の窓枠３１に設置されている場合、窓３を開閉する動作により発電する。発電部２３は、子機２の設置場所に近い側の窓枠３１を移動させて窓３を開閉する動作だけでなく、子機２の設置場所から遠い側の窓枠３１を移動などさせて窓３を開閉する動作によって発電するように構成されていてもよい。つまり、発電部２３は、子機２の設置場所（ここでは、窓枠３１）と関連する部位（ここでは、窓３）の運動により電力を発生するように構成されている。
【００３９】
そして、本実施形態では、子機側制御部２１は、発電部２３からの電力供給を受けて駆動するように構成されている。つまり、子機２は、例えば窓３の開閉などの動作により発電部２３が発電しない限りは、起動することがない。言い換えれば、子機２は、例えば窓３の開閉など、ユーザＡ１（Ｂ１）が子機２の設置場所（ここでは、窓枠３１）と関連する部位（ここでは、窓３）を動作させたときに限り、一定時間、起動する。
【００４０】
判定部２４は、例えば時定数回路で構成されている。子機側制御部２１は、判定部２４の判定結果により、子機２が起動する間隔を判定するように構成されている。具体的には、判定部２４には、子機側制御部２１から電圧が入力されており、この入力電圧は、時定数回路の時定数に応じて下降する。そして、判定部２４の出力電圧は、子機側制御部２１に入力されている。したがって、子機側制御部２１は、判定部２４の出力電圧に基づいて、子機２が起動する間隔（ここでは、窓３を開閉する間隔）を判定することが可能である。
【００４１】
本実施形態では、子機２が停止している状態において、ユーザＡ１（Ｂ１）が窓３を開ける（又は閉める）と、発電部２３が発電することにより、子機２が起動する。子機側制御部２１は、子機２が所定のパターンで起動したか否かを判定する。そして、子機側制御部２１は、子機２の起動パターンが所定のパターンと一致する場合、登録モードで動作する。一方、子機側制御部２１は、子機２の起動パターンが所定のパターンと一致しない場合、通常モードで動作する。所定のパターンは、例えばユーザＡ１（Ｂ１）が窓３の開閉を所定の期間内に複数回行った場合に、子機２が起動する複数の間隔のうち２つ以上の間隔が「ｔ１」秒未満であり、他の間隔が「ｔ２」（＞「ｔ１」）秒以上である、等である。
【００４２】
（３）動作
以下、本実施形態の無線通信システム１００における登録作業時の動作について図３を用いて説明する。ここでは、建物の新築時、つまり通信の障害となる家具などの電波遮蔽物が殆ど無い又は存在せず、最も電波状況が良い状態において、親機１に子機２を登録する場合について説明する。また、ここでは、親機１の通信範囲に登録対象の子機２が１台のみ存在する場合について説明する。もちろん、親機１への子機２の登録は、建物の新築時に限らず、いつでも行ってよい。また、親機１の通信範囲には、登録対象の子機２が複数台存在していてもよい。
【００４３】
登録作業は、ユーザＡ１，Ｂ１により行われる。図３に示すユーザＡ１，Ｂ１は、いずれも親機１及び子機２を設置する施工者である。もちろん、ユーザＡ１，Ｂ１は、いずれも施工者以外であってもよい。また、ユーザＡ１，Ｂ１は、異なる人物でもよいし、同一人物でもよい。また、図３に示す例では、ユーザＡ１が子機２の設置されている窓枠３１の窓３を開閉する操作を行い、ユーザＢ１が親機１の操作を行っているが、逆であってもよい。
【００４４】
ユーザＡ１，Ｂ１が操作を行う前においては、親機側制御部１１は、通常モードで動作している（ステップＳ１０１）。まず、ユーザＢ１は、親機１のスイッチ、又はユーザＢ１の所有する携帯端末を操作する（ステップＳ１０２）。すると、親機側制御部１１は、通常モードでの動作から登録モードでの動作に移行する（ステップＳ１０３）。このため、親機側制御部１１は、以降、子機２からの要求信号を待ち受ける。
【００４５】
次に、ユーザＡ１は、窓３を所定のパターンで開閉する。言い換えれば、ユーザＡ１は、子機２の設置場所に関連する部位を、所定のパターンで操作する（ステップＳ１０４）。すると、窓３の開閉により発電部２３が発電し、子機２が起動する（ステップＳ１０５）。そして、子機側制御部２１は、子機２の起動パターンが所定のパターンに一致するか否かを判定する。ここでは、ユーザＡ１が窓３を所定のパターンで開閉しているので、子機側制御部２１は、子機２の起動パターンが所定のパターンに一致すると判定する（ステップＳ１０６）。そして、子機側制御部２１は、登録モードでの動作を開始する（ステップＳ１０７）。
【００４６】
登録モードにおいて、子機側制御部２１は、要求処理を実行する（ステップＳ１０８）。そして、子機側制御部２１は、子機側通信部２２を介して要求信号を親機１へ送信する。親機側制御部１１は、子機２からの要求信号を受信すると、返信処理を実行する（ステップＳ１０９）。そして、親機側制御部１１は、親機側通信部１２を介して返信信号を子機２へ送信する。子機側制御部２１は、親機１からの返信信号を受信すると、受信した返信信号に含まれる暗号鍵をメモリに記憶する（ステップＳ１１０）。その後、子機２は、発電部２３から供給される電力が尽きることにより、停止する（ステップＳ１１１）。
【００４７】
この時点では、親機側制御部１１は、要求信号の送信元の子機２の識別子をメモリに記憶しているが、子機２の登録は未だ完了していない。つまり、この時点では、親機側制御部１１は、要求信号の送信元の子機２を仮登録していると言える。
【００４８】
次に、ユーザＡ１は、窓３を開閉する。言い換えれば、ユーザＡ１は、子機２の設置場所に関連する部位を操作する（ステップＳ１１２）。ここでは、ユーザＡ１は、所定のパターンで窓３を開閉するのではなく、単に窓３を開ける（又は閉める）動作を１回行えばよい。すると、窓３の開閉により発電部２３が発電し、子機２が起動する（ステップＳ１１３）。そして、子機側制御部２１は、子機２の起動パターンが所定のパターンに一致するか否かを判定する。ここでは、ユーザＡ１が窓３を所定のパターンで開閉していないので、子機側制御部２１は、子機２の起動パターンが所定のパターンに一致しないと判定する（ステップＳ１１４）。そして、子機側制御部２１は、通常モードでの動作を開始する（ステップＳ１１５）。
【００４９】
通常モードにおいて、子機側制御部２１は、検知処理を実行する（ステップＳ１１６）。そして、子機側制御部２１は、子機側通信部２２を介して検知信号を親機１へ送信する。既に述べたように、検知処理は、確認処理に相当する。また、検知信号は、確認信号に相当する。親機側制御部１１は、検知信号（確認信号）を受信すると、出力処理を実行する（ステップＳ１１７）。そして、親機側制御部１１は、暗号化データの復号に成功した場合は登録情報を含む通知信号を、暗号化データの復号に失敗した場合は未登録情報を含む通知信号を、親機側通信部１２を介してユーザＢ１の所有する携帯端末へ送信する。ここでは、親機１は、ユーザＢ１の所有する携帯端末へ通知信号を送信しているが、ユーザＡ１の所有する携帯端末へ通知信号を送信してもよいし、両方の携帯端末へ通知信号を送信してもよい。
【００５０】
次に、本実施形態の無線通信システム１００における再度の登録作業時の親機１の動作について図４を用いて説明する。再度の登録作業は、例えばユーザＡ１（Ｂ１）が親機１からの未登録情報を受け、親機１に子機２が登録されていないことを知った場合に行われる。以下では、親機１は、登録モードで動作していると仮定する。また、以下では、ユーザＡ１の操作により子機２が通常モードで動作し、子機２から検知信号（確認信号）が送信されていると仮定する。
【００５１】
親機側制御部１１は、親機側通信部１２を介して要求信号を受信する（ステップＳ２０１）。すると、親機側制御部１１は、返信処理を実行する（ステップＳ２０２）。ここで、親機側制御部１１のメモリには、前回の登録作業時に取得した子機２の識別子が記憶されている。そこで、親機側制御部１１は、今回取得した子機２の識別子が、メモリに記憶されている子機２の識別子と同一であるか否かを比較する（ステップＳ２０３）。親機側制御部１１は、子機２の識別子が同一である場合（ステップＳ２０３：Ｙｅｓ）、送信出力を大きくすることで、返信信号の送信強度を増大させる（ステップＳ２０４）。一方、親機側制御部１１は、子機２の識別子が同一でない場合（ステップＳ２０３：Ｎｏ）、返信信号の送信強度を現在の送信強度で維持する。その後、親機側制御部１１は、親機側通信部１２を介して返信信号を子機２へ送信する（ステップＳ２０５）。
【００５２】
つまり、本実施形態では、親機側制御部１１は、同一の子機２の識別子を含む要求信号を少なくとも２回以上受信すると、返信信号の送信強度を強くするように構成されている。このため、本実施形態では、再度の登録作業時に親機１を子機２に近づけるように移動させなくても、子機２が親機１からの返信信号を受信し易くなる。つまり、本実施形態では、再度の登録作業時に、ユーザＡ１（Ｂ１）が他の作業を中断して親機１を移動させることなく、親機１への子機２の登録を完了させ易い。
【００５３】
ここで、最初の登録時から返信信号の送信強度を強くすることも考えられるが、最初の登録時において返信信号の送信強度を比較的弱くしているのは、以下の理由による。すなわち、子機２を設置した後に、新たに家具などを設置したり、既存の家具などの位置を変更したりすることで、親機１及び子機２が存在する空間の電波状況が変化（悪化）することが推測される。そこで、最初の登録時から返信信号の送信強度を比較的弱くすることで、子機２の設置時における親機１及び子機２が存在する空間の電波状況を把握し易いからである。
【００５４】
また、一般に、親機１の受信感度の方が子機２の受信感度よりも高い。このため、子機２が受信可能な送信強度の返信信号を用いて子機２を登録した場合、親機１は、返信信号よりも更に送信強度の弱い検知信号（確認信号）でも受信可能である。したがって、最初の登録時から返信信号の送信強度を比較的弱くしておけば、仮に子機２を設置した後に電波状況が悪化しても、子機２からの検知信号（確認信号）を受信できるように担保することができるからである。
【００５５】
（４）変形例
本実施形態において、親機側制御部１１は、子機２の登録が成功したときの返信信号の送信強度をメモリに記憶していてもよい。ここで、子機２を設置した後に、例えば暗号鍵が破損したり、ノイズにより暗号鍵が書き換わったりした場合、再度、親機１に子機２を登録する必要がある。また、例えば外部電源の停電により、親機１への電力供給が途絶えた場合にも、再度、親機１に子機２を登録しなければならない可能性がある。これらの場合、親機側制御部１１は、返信処理において、前回の登録時の送信強度で返信信号を送信することで、再度の登録作業を成功させ易い。なお、この場合の再度の登録作業は、例えば建物の住人など、施工者以外のユーザＡ１（Ｂ１）が行うことが想定される。
【００５６】
本実施形態において、親機側制御部１１は、子機２からの信号の受信信号強度（Received Signal Strength Indicator：ＲＳＳＩ）を測定するように構成されていてもよい。そして、親機側制御部１１は、例えば要求信号又は検知信号（確認信号）の受信信号強度が閾値を下回る場合、子機２を登録しないように構成されていてもよい。この構成でも、親機側制御部１１は、未登録情報を出力するのが好ましい。
【００５７】
本実施形態では、親機側制御部１１は、返信処理において、暗号鍵のみを含む返信信号を、親機側通信部１２を介して子機２へ送信しているが、これに限定する趣旨ではない。例えば、親機側制御部１１は、返信処理において、暗号鍵の他に、子機２の識別子を含む返信信号を、親機側通信部１２を介して子機２へ送信してもよい。この場合、子機２は、仮に他の親機からの返信信号を受信する可能性があるとしても、自己の識別子を含む返信信号に含まれる暗号鍵を記憶することで、親機１の暗号鍵を正しく取得することが可能である。要求信号の送信先ではない他の親機からの返信信号には、子機２の識別子が含まれず、要求信号を受信した親機１からの返信信号には、子機２の識別子が含まれるからである。
【００５８】
本実施形態では、親機側制御部１１は、同一の子機２の識別子を含む要求信号を少なくとも２回以上受信すると、返信信号の送信強度を強くするように構成されているが、他の構成であってもよい。例えば、親機側制御部１１は、同一の子機２の識別子を含む要求信号を２回受信した場合であっても、１回目の要求信号の受信と２回目の要求信号の受信との間で外部電源との接続が切れた場合は、返信信号の送信強度を強くしなくてもよい。ユーザＡ１（Ｂ１）が再度の登録作業の際に一時的に親機１を子機２の近傍に移動させ、子機２の登録を強引に完了させる可能性があるからである。この場合、親機１を子機２の近傍に移動させるために、親機１をコンセントから外すことで、親機１と外部電源との接続が切れる可能性がある。仮にユーザＡ１（Ｂ１）が親機１を移動して不当な登録が行われても、親機側制御部１１のメモリには、再度の登録が行われたにも関わらず返信信号の送信強度が変化していない内容を示すログが記憶される。このため、例えば建物の住人など、施工者以外のユーザＡ１（Ｂ１）は、不当な登録があったことを知ることができる。
【００５９】
また、親機側制御部１１は、同一の子機２の識別子を含む要求信号を２回以上受信する場合、要求信号を受信するごとに返信信号の送信強度を強くするように構成されていてもよい。
【００６０】
本実施形態では、親機側制御部１１は、Ｗｉ−Ｆｉ（登録商標）、Ｂｌｕｅｔｏｏｔｈ（登録商標）などの無線通信の手段を用いて、直接、ユーザＡ１（Ｂ１）の所有する携帯端末へ通知信号を送信するように構成されている。ユーザＡ１（Ｂ１）が登録作業を行う段階においては、作業対象の建物が新築である等して、インターネット等のネットワークが構築されていない可能性が高いからである。もちろん、ネットワークが既に構築されている場合は、親機側制御部１１は、ネットワークを介して、ユーザＡ１（Ｂ１）の所有する携帯端末へ通知信号を送信するように構成されていてもよい。
【００６１】
本実施形態では、ユーザＡ１（Ｂ１）の所有する携帯端末はスマートフォンであるが、これに限定する趣旨ではない。例えば、携帯端末は、ＰＤＡ（Personal Digital Assistant）、タブレット端末、及びラップトップ等の可搬型のパーソナルコンピュータであってもよい。
【００６２】
本実施形態では、親機１は、１台の子機２のみを登録しているが、複数の子機２を登録することが可能である。この場合、ユーザＡ１（Ｂ１）は、複数の子機２ごとに登録作業を行えばよい。そして、この場合、ユーザＡ１（Ｂ１）の所有する携帯端末では、例えばディスプレイに複数の子機２の登録状況、及び複数の子機２の検知データを表示させることが可能である。したがって、ユーザＡ１（Ｂ１）は、複数の子機２の登録状況、及び複数の子機２の状態を確認することができ、また、登録時における電波状況を間接的に把握することができる。
【００６３】
本実施形態では、親機１は、子機２の状態を監視することにより、子機２が設置される建物の状態を監視しているが、他の構成であってもよい。例えば、親機１が建物の外部に設置されるサーバと無線で通信する場合、親機１は、子機２から取得した検知データをサーバ（又はクラウドコンピューティング）へ送信してもよい。この場合、サーバ（又はクラウドコンピューティング）は、親機１から検知データを取得することで、子機２の状態を監視する。また、この場合、親機１は、子機２とサーバ（又はクラウドコンピューティング）との間の通信を中継する中継器として機能する。
【００６４】
本実施形態では、子機側制御部２１は、登録モードにおいて要求処理を実行し、通常モードにおいて確認処理を実行するように構成されているが、他の構成であってもよい。例えば、発電部２３による発電量が十分に大きければ、子機側制御部２１は、登録モードにおいて要求処理及び確認処理の両方を実行するように構成されていてもよい。この構成であれば、ユーザＡ１（Ｂ１）による一度の操作で登録作業、及び登録が成功したか否かの確認作業を行うことが可能となり、作業の簡素化を図ることができる。
【００６５】
本実施形態では、子機２は、建物の出入口に設置することで、建物の出入口を監視する構成であるが、他の構成であってもよい。例えば、子機２は、建物の照明、空調設備、及び電化製品などのスイッチに設置されていてもよい。この場合、子機２の発電部２３は、スイッチのオン／オフの切り替え動作により発電することが可能である。そして、この場合、建物へ侵入した第三者がスイッチを操作すると仮定すれば、子機側制御部２１は、スイッチのオン／オフを監視することにより、建物への第三者の侵入を監視することが可能である。つまり、この場合、子機側制御部２１は、間接的に建物の出入口を監視していると言える。
【００６６】
本実施形態では、建物は戸建住宅であるが、これに限定する趣旨ではない。例えば、建物は、集合住宅の住戸であってもよいし、ビルのオフィスであってもよい。つまり、建物は、ユーザＡ１（Ｂ１）により親機１及び子機２が設置される建築物であればよい。
【００６７】
また、無線通信システム１００と同様の機能は、親機１、親機１の制御方法、プログラム、及びプログラムを記憶した非一時的な記録媒体等で具現化されてもよい。一態様に係る親機１は、親機側制御部１１を備える。親機側制御部１１は、返信機能と、出力機能と、を有する。返信機能は、無線で通信可能な子機２から、子機２の識別子と、親機１への登録を要求する要求データと、を含む要求信号を受信すると、子機２に紐付けられた暗号鍵を含む返信信号を子機２へ送信する機能である。出力機能は、子機２から確認信号を受信すると、確認信号に含まれる暗号化データの復号を試み、復号できない場合は、子機２の登録が完了していない旨を表す未登録情報を出力する機能である。確認信号は、子機２の有するデータを返信信号に含まれる暗号鍵にて暗号化した暗号化データと、子機２の識別子と、を含む。
【００６８】
また、一態様に係る親機１の制御方法は、返信ステップと、出力ステップと、を有する。返信ステップは、無線で通信可能な子機２から、子機２の識別子と、親機１への登録を要求する要求データと、を含む要求信号を受信すると、子機２に紐付けられた暗号鍵を含む返信信号を子機２へ送信するステップである。出力ステップは、子機２から確認信号を受信すると、確認信号に含まれる暗号化データの復号を試み、復号できない場合は、子機２の登録が完了していない旨を表す未登録情報を出力するステップである。確認信号は、子機２の有するデータを返信信号に含まれる暗号鍵にて暗号化した暗号化データと、子機２の識別子と、を含む。
【００６９】
また、一態様に係るプログラムは、コンピュータシステムである親機１に、返信処理と、出力処理と、を実行させる。返信処理は、親機１と無線で通信可能な子機２の識別子と、親機１への登録を要求する要求データと、を含む要求信号を受信すると、子機２に紐付けられた暗号鍵を含む返信信号を子機２へ送信する処理である。出力処理は、確認信号を受信すると、確認信号に含まれる暗号化データの復号を試み、復号できない場合は、子機２の登録が完了していない旨を表す未登録情報を出力する処理である。確認信号は、子機２の有するデータを返信信号に含まれる暗号鍵にて暗号化した暗号化データと、子機２の識別子と、を含む。
【００７０】
（まとめ）
以上述べたように、第１の態様に係る無線通信システム（１００）は、親機（１）と、親機（１）と無線で通信可能な子機（２）と、を備える。親機（１）は、親機側制御部（１１）を有する。子機（２）は、子機側制御部（２１）を有する。子機側制御部（２１）は、子機（２）の識別子と、親機（１）への登録を要求する要求データと、を含む要求信号を親機（１）へ送信する要求機能を有する。親機側制御部（１１）は、要求信号を受信すると、子機（２）に紐付けられた暗号鍵を含む返信信号を子機（２）へ送信する返信機能を有する。子機側制御部（２１）は、子機（２）の有するデータを返信信号に含まれる暗号鍵にて暗号化した暗号化データと、子機（２）の識別子と、を含む確認信号を親機（１）へ送信する確認機能を有する。親機側制御部（１１）は、確認信号を受信すると、確認信号に含まれる暗号化データの復号を試み、復号できない場合は、子機（２）の登録が完了していない旨を表す未登録情報を出力する出力機能を有する。
【００７１】
この構成によれば、ユーザ（Ａ１（Ｂ１））が親機（１）における子機（２）の登録状況を把握し易い、という利点がある。以下、この利点について説明する。親機（１）に子機（２）を登録する際に、電波状況が悪いために子機（２）が返信信号を十分な強度で受信できずに、暗号鍵を取得できない場合がある。また、電波状況は良く返信信号は十分な強度を有しているが、周囲に存在する電気機器が発する電波に妨害されることにより、子機（２）が正しく暗号鍵を取得できない場合がある。これらの場合、子機（２）からの検知信号（確認信号）に含まれる暗号化データは、親機（１）から送信された暗号鍵とは異なる暗号鍵を用いて暗号化されていることになる。このため、親機（１）は、暗号化データを復号できず、子機（２）の登録を完了できない。
【００７２】
また、子機（２）が要求信号を送信する際に、例えば隣接する建物にある他の親機も登録モードに移行しており、他の親機も子機（２）からの要求信号を受信する場合がある。この場合、子機（２）は、本来登録させたい親機（１）ではなく、他の親機からの返信信号を受信することで、他の親機との通信に用いる暗号鍵を取得する可能性がある。つまり、子機（２）は、他の親機に登録されてしまう可能性がある。すると、子機（２）からの検知信号（確認信号）に含まれる暗号化データは、他の親機から取得した暗号鍵により暗号化されていることになる。このため、本来登録させたい親機（１）は、暗号化データを復号できず、子機（２）の登録を完了できない。
【００７３】
その他、登録モードでの動作中において、親機（１）が一時的に機能不全に陥ることにより、子機（２）からの検知信号（確認信号）を正しく受信できない場合がある。この場合も、親機（１）は、暗号化データを復号できず、子機（２）の登録を完了できない。
【００７４】
上記のいずれの場合においても、ユーザ（Ａ１（Ｂ１））が親機（１）に子機（２）が正しく登録されていないことを知ることができなければ、子機（２）が親機（１）に正しく登録されていない状態で放置されてしまう。すると、親機（１）は、監視対象である子機（２）からの検知データを取得することができず、無線通信システム（１００）が正しく機能しない可能性がある。
【００７５】
そこで、第１の態様に係る無線通信システム（１００）では、親機側制御部（１１）は、上述のように未登録情報を出力する機能を有している。このため、この構成によれば、上記のいずれの場合においても、ユーザ（Ａ１（Ｂ１））は、未登録情報により親機（１）に子機（２）が正しく登録されていないことを知ることができる。つまり、この構成によれば、ユーザ（Ａ１（Ｂ１））が親機（１）における子機（２）の登録状況を把握し易い。したがって、この構成によれば、ユーザ（Ａ１（Ｂ１））が再度の登録作業を試みることで、無線通信システム（１００）が正しく機能しない状態で放置されるのを回避することが可能である。
【００７６】
第２の態様に係る無線通信システム（１００）では、第１の態様において、親機側制御部（１１）は、出力機能において、子機（２）とは異なる他の機器に向けて未登録情報を通知するように構成されている。
【００７７】
この構成によれば、親機（１）自体が未登録情報を出力する場合と比較して、親機（１）から離れた位置にいるユーザ（Ａ１（Ｂ１））に子機（２）の登録が完了していないことを気付かせ易い、という利点がある。例えば、他の機器がユーザ（Ａ１（Ｂ１））の所有する携帯端末である場合、ユーザ（Ａ１（Ｂ１））は、携帯端末に未登録情報が通知されることで、子機（２）の登録が完了していないことに気付くことが可能である。ただし、この構成は必須ではなく、親機側制御部（１１）は、例えば発光素子を発光させたり、スピーカから音声を再生させたりすることにより、未登録情報を出力してもよい。
【００７８】
第３の態様に係る無線通信システム（１００）では、第１又は第２の態様において、親機側制御部（１１）は、同一の子機（２）の識別子を含む要求信号を少なくとも２回以上受信すると、返信信号の送信強度を強くするように構成されている。
【００７９】
この構成によれば、同一の送信強度で返信信号を再送する場合と比較して、子機（２）が返信信号を受信し易くなる。つまり、この構成によれば、再度の登録作業を試みる際に、子機（２）が親機（１）から送信される暗号鍵を取得し易くなり、結果として再度の登録作業が成功し易くなる、という利点がある。ただし、この構成は必須ではなく、親機側制御部（１１）は、同一の子機（２）の識別子を含む要求信号を２回以上受信した場合でも、返信信号の送信強度を変化させないように構成されていてもよい。
【００８０】
第４の態様に係る無線通信システム（１００）では、第１〜第３のいずれかの態様において、子機側制御部（２１）は、以下のように構成されている。すなわち、子機側制御部（２１）は、子機（２）が返信信号に含まれる暗号鍵とは異なる別の暗号鍵を有している場合、別の暗号鍵を返信信号に含まれる暗号鍵に更新するように構成されている。
【００８１】
この構成によれば、子機（２）は、誤った暗号鍵を記憶している場合でも、更新することで正しい暗号鍵を記憶することが可能である、という利点がある。例えば子機（２）を登録させたい親機（１）とは異なる他の親機の暗号鍵を子機（２）が記憶した場合でも、この暗号鍵を登録させたい親機（１）の暗号鍵に更新することが可能である。ただし、この構成は必須ではなく、子機側制御部（２１）は、例えばユーザ（Ａ１（Ｂ１））の操作を受け付けると、暗号鍵を更新するように構成されていてもよい。
【００８２】
第５の態様に係る無線通信システム（１００）では、第１〜第４のいずれかの態様において、子機（２）は、子機（２）の設置場所に関連する部位の運動により電力を発生し、子機側制御部（２１）に電力を供給する発電部（２３）を更に有する。
【００８３】
この構成によれば、例えば商用電源、電池などの外部電源が不要であるため、子機（２）へ電源ケーブルを接続する作業、又は電池が切れた時に電池を交換する作業などの煩わしい作業が不要になる、という利点がある。ただし、この構成は必須ではなく、子機（２）は、発電部（２３）を有していなくてもよい。この場合、子機側制御部（２１）は、外部電源からの電力供給を受けて駆動することになる。
【００８４】
第６の態様に係る親機（１）は、親機側制御部（１１）を備える。親機側制御部（１１）は、返信機能と、出力機能と、を有する。返信機能は、無線で通信可能な子機（２）から、子機（２）の識別子と、親機（１）への登録を要求する要求データと、を含む要求信号を受信すると、子機（２）に紐付けられた暗号鍵を含む返信信号を子機（２）へ送信する機能である。出力機能は、子機（２）から確認信号を受信すると、確認信号に含まれる暗号化データの復号を試み、復号できない場合は、子機（２）の登録が完了していない旨を表す未登録情報を出力する機能である。確認信号は、子機（２）の有するデータを返信信号に含まれる暗号鍵にて暗号化した暗号化データと、子機（２）の識別子と、を含む。
【００８５】
この構成によれば、ユーザ（Ａ１（Ｂ１））が親機（１）における子機（２）の登録状況を把握し易い、という利点がある。
【００８６】
第７の態様に係る親機（１）の制御方法は、返信ステップと、出力ステップと、を有する。返信ステップは、無線で通信可能な子機（２）から、子機（２）の識別子と、親機（１）への登録を要求する要求データと、を含む要求信号を受信すると、子機（２）に紐付けられた暗号鍵を含む返信信号を子機（２）へ送信するステップである。出力ステップは、子機（２）から確認信号を受信すると、確認信号に含まれる暗号化データの復号を試み、復号できない場合は、子機（２）の登録が完了していない旨を表す未登録情報を出力するステップである。確認信号は、子機（２）の有するデータを返信信号に含まれる暗号鍵にて暗号化した暗号化データと、子機（２）の識別子と、を含む。
【００８７】
この構成によれば、ユーザ（Ａ１（Ｂ１））が親機（１）における子機（２）の登録状況を把握し易い、という利点がある。
【００８８】
第８の態様に係るプログラムは、コンピュータシステムである親機（１）に、返信処理と、出力処理と、を実行させる。返信処理は、親機（１）と無線で通信可能な子機（２）の識別子と、親機（１）への登録を要求する要求データと、を含む要求信号を受信すると、子機（２）に紐付けられた暗号鍵を含む返信信号を子機（２）へ送信する処理である。出力処理は、確認信号を受信すると、確認信号に含まれる暗号化データの復号を試み、復号できない場合は、子機（２）の登録が完了していない旨を表す未登録情報を出力する処理である。確認信号は、子機（２）の有するデータを返信信号に含まれる暗号鍵にて暗号化した暗号化データと、子機（２）の識別子と、を含む。
【００８９】
この構成によれば、ユーザ（Ａ１（Ｂ１））が親機（１）における子機（２）の登録状況を把握し易い、という利点がある。
【００９０】
以上、実施形態に係る無線通信システム１００、親機１、親機１の制御方法、及びプログラムについて説明した。ただし、以上に説明した実施形態は、本発明の様々な実施形態の一つに過ぎない。上記の実施形態は、本発明の目的を達成できれば、設計等に応じて種々の変更が可能である。
【符号の説明】
【００９１】
１  親機
１１  親機側制御部
２  子機
２１  子機側制御部
２３  発電部
１００  無線通信システム
【図１】
2018190223.tif 000003
【図２】
2018190223.tif 000004
【図３】
2018190223.tif 000005
【図４】
2018190223.tif 000006
【国際調査報告】
2018190223.tif 000007
2018190223.tif 000008
2018190223.tif 000009
2018190223.tif 000010